(57)【特許請求の範囲】
【請求項１】
撮影画像を出力する画像表示装置であって、
第１縦横比の撮影画像に対して当該画像を撮影した際の合焦位置を対応づけて記憶する記憶手段と、
前記撮影画像を前記第１縦横比とはその縦横比が異なる第２縦横比の出力対象画像として切り出して出力する際は、前記撮影画像から前記第２縦横比の画像として切り出せる最大の画像サイズであって、且つ前記撮影画像内における合焦位置側の矩形エリアを切り出し対象エリアとして特定する特定手段と、
この特定手段で特定された矩形エリアの画像部分を前記撮影画像から切り出し、その切り出された画像を前記第２縦横比の出力対象画像として出力する出力手段と、
を備えたことを特徴とする画像表示装置。
【請求項２】
前記第２縦横比は、当該画像表示装置に接続される外部表示装置における表示画面の縦横比であり、
前記出力手段は、前記切り出された第２縦横比の画像を前記外部表示装置に対して送信出力する、
ことを特徴とする請求項１に記載の画像表示装置。
【請求項３】
画像を撮影する撮影手段を更に備え、
当該撮影手段による画像撮影時は、複数の合焦位置の中から所望する任意の合焦位置を選択可能であり、
前記記憶手段は、当該撮影手段による画像撮影時に選択された合焦位置を、その撮影画像に対応づけて記憶する、
ことを特徴とする請求項１に記載の画像表示装置。
【請求項４】
前記撮影画像内における合焦位置側の矩形エリアは、前記合焦位置がその矩形エリアの略中心となる矩形エリアである、
ことを特徴とする請求項１に記載の画像表示装置。
【請求項５】
撮影画像を出力する画像出力装置のコンピュータを制御するためのプログラムであって、
前記コンピュータを、
第１縦横比の撮影画像に対して当該画像を撮影した際の合焦位置を対応づけて記憶する記憶手段、
前記撮影画像を前記第１縦横比とはその縦横比が異なる第２縦横比の出力対象画像として切り出して出力する際は、前記撮影画像から前記第２縦横比の画像として切り出せる最大の画像サイズであって、且つ前記撮影画像内における合焦位置側の矩形エリアを切り出し対象エリアとして特定する特定手段、
この特定手段で特定された矩形エリアの画像部分を前記撮影画像から切り出し、その切り出された画像を前記第２縦横比の出力対象画像として出力する出力手段、
として機能させるようにしたコンピュータ読み取り可能なプログラム。
【発明の詳細な説明】
【技術分野】
【０００１】
本発明は、保存メモリに記録されている画像を再生し、表示画像を生成して表示する画像表示装置に関し、特に、画像とは横縦比の異なる画面に画像を表示する場合の画像生成技術に関する。
【背景技術】
【０００２】
複数の撮影画像をサムネイル（縮小画像）一覧、あるいはインデックス一覧として出力（印刷、若しくは表示）する際、各画像が正立画像になるように画像の姿勢を調整して出力する技術（例えば、特許文献１参照）がある。
【０００３】
また、撮影時の天地情報を基に自動的に正立画像を表示させる技術（例えば、特許文献２参照）がある。
【０００４】
【特許文献１】特開平９−４３７３６号公報
【特許文献２】特開平１０−１７３９８４号公報
【発明の開示】
【発明が解決しようとする課題】
【０００５】
従来は画面の表示用画像領域の横縦比（）は通常の場合４：３であり、撮影画像の横縦比も横方向に撮影した画像は４：３であったため、画面と撮影画像の横縦比が異なる場合は、縦撮りの画像を表示するような場合に限られていたが、近年、横縦比の異なる画面例えば横縦比１６：９のいわゆるワイド画面）を備えた画像表示装置が市販されるようになってきたことから、撮影画像と画像表示装置の画面の表示用画像領域の横縦比が異なるケースが生じている。
【０００６】
ここで、上記特許文献１に開示の技術では各画像が正立画像になるように画像の姿勢を調整することはできるが、横縦比の異なる画面を正立させて表示するだけでは図１２に示すように画像が表示されている部分以外の部分、つまり、表示されている画像の両側は黒く（または空白として）表示され、画面の表示領域が有効に利用されないといった課題があった。ここで、図１２（ａ）は横長画像を横縦比の異なる横長画面に表示した例であり、両端に無駄なスペース２００−１、２０−２が生じている。また、図１２（ｂ）は縦長画像を横長画面に表示した例であり、両端の無駄なスペース２００−３、２０−４が横長画像の場合より大きくなる。
【０００７】
また、上記特許文献２に開示の技術では撮影時に天地情報が付されるので横向き画像を正立させることはできるが、横縦比の異なる画面を正立させて表示するだけでは上記特許文献１の場合と同様に無駄なスペースが生じてしまい、画面の表示領域が有効に利用されないといった課題があった。
【０００８】
ここで、横縦比の異なる画像を表示する際に無駄なスペースを生じないように複数の画像を配列する方法としては変形アスペクト表示方法と部分表示方法が考えられる。
【０００９】
変形アスペクト表示方法は画像を画面の表示用画像領域の横縦比に合わせるように変形して（例えば、横縦比４：３の画像を変換して横縦比１６：９の画像として）表示する方法であるが、画像を変形したことにより不自然な印象を与えるといった課題があった。特に、縦撮り画像の場合は変形が大きくなり、不自然な絵柄になってしまうといった課題がある。
【００１０】
また、部分表示方法は画像を画面の長辺に合わせて拡大し、拡大した画像を画面の表示用画像領域のサイズに切出して表示する方法であり、画面の表示領域一杯に画像が表示されるので無駄な部分が生じないが、図１３に示すように注目部分（顔１２０−１、１２０−２などのように画像として重要な部分をいう）が中央に表示されるとは限らないので注目部分のわからない不自然な画像になる場合があるといった課題があった。なお、部分表示する場合、中央部分を切出して拡大する方法が技術的には容易ではあるが撮影対象が人物であったような場合には顔が途中で切り取られるといった現象が生じて元の画像イメージが分からなくなってしまうといった課題がある。
【００１１】
本発明は、撮影画像から縦横比が異なる画像を切り出して出力する際は、元となる画像自体の変形をさせることなく、且つその元となる画像内での注目位置を外すことなく出力できる画像表示装置及びプログラムの提供を目的とする。
【課題を解決するための手段】
【００１２】
上記課題を解決するために、請求項１に記載の発明では、撮影画像を出力する画像表示装置であって、第１縦横比の撮影画像に対して当該画像を撮影した際の合焦位置を対応づけて記憶する記憶手段と、前記撮影画像を前記第１縦横比とはその縦横比が異なる第２縦横比の出力対象画像として切り出して出力する際は、前記撮影画像から前記第２縦横比の画像として切り出せる最大の画像サイズであって、且つ前記撮影画像内における合焦位置側の矩形エリアを切り出し対象エリアとして特定する特定手段と、この特定手段で特定された矩形エリアの画像部分を前記撮影画像から切り出し、その切り出された画像を前記第２縦横比の出力対象画像として出力する出力手段と、を備えたことを特徴とする。
【発明の効果】
【００１７】
本発明によれば、撮影画像から縦横比が異なる画像を切り出して出力する際は、元となる画像自体の変形をさせることなく、且つその元となる画像内での注目位置を外すことなく出力できる。
【発明を実施するための最良の形態】
【００１８】
図１は本発明に係わる画像の切出しおよび表示方法の概要説明図であり、図１（ａ）は横縦比４：３の横長画像を示し、図１（ｂ）は、図１（ａ）に示した撮影画像４１を横縦比１６：９のワイド画面に表示された画像を示す。以下の説明で、横長画像とは横方向の辺の長さが縦方向の辺の長さより長い画像（通常はカメラを横にして撮影した画像（横撮り画像））をいい、縦長画像とは縦方向の辺の長さが横方向の辺の長さより長い画像（通常はカメラを縦にして撮影した画像（縦撮り画像））をいうものとする。
【００１９】
図１で横長画像４１はマルチフォーカスＡＦ（複数焦点によるオートフォーカス）機能を備えたカメラによって撮影された画像である。説明上、カメラは図５に示すような５つの合焦位置（ＡＦ１〜ＡＦ５）を備えており、図１ではユーザは犬を注目画像として撮影したものであり、ＡＦ１を横長画像４１の合焦位置として選択したものとする。このとき、横長画像４１からその合焦位置ＡＦ１を中心として横長画像４１の表示範囲内で最大の横縦比１６：９の画像４２（点線枠で囲まれた部分）を切出し、この切出した画像を画像表示装置（横縦比１６：９）の画面の表示用画像領域のサイズに拡大して表示する。このように切出すことにより、画像表示装置の画面４３一杯に注目画像を中心とした画像を表示できる。なお、図１では横長画像を例としたが、縦長画像についても同様にして画像表示装置の画面一杯に注目画像を中心とした画像を表示できる。
【００２０】
図２は本発明の画像切出し及び表示方法を適用可能な表示システムの一実施例を示す図であり、符号１はデジタルカメラ等のような撮像部付き画像表示装置である。また、符号１００はテレビ受信装置等やパーソナルコンピュータ（以下、パソコン）等の外部画像記録装置、符号１５０は外部画像記録装置１００に画像を送信する際に用いるケーブルを示す。
【００２１】
画像表示装置１は、デジタルカメラに限定されず、カメラ付携帯電話機等のように撮像部を備えた画像表示端末でもよく、画像表示装置１自体には表示部を備えるが撮像部を備えていない画像記録装置であって、テレビ受信装置１００等の外部画像表示装置１００に接続された場合は一覧表示画面や再生画像の表示を外部画像表示装置１００に行わせるようにし、外部画像表示装置１００に接続された場合は一覧表示画面や再生画像の表示を画像表示装置１自体に備えられた画像表示部に行わせるように制御するように構成された装置であってもよく、再生画像の表示をもっぱら外部画像表示装置１００に行うよう制御する装置であって、画像表示装置１自体には画像表示部を備えていない専用の画像表示制御装置であってもよい。
【００２２】
なお、画像表示装置１がスライドショー表示を自ら表示する表示部を備えた画像表示装置（いわゆる電子アルバム装置）の場合は図１でテレビ受信装置等の外部画像表示装置１００の接続はオプションであり、ユーザの所望により接続し、スライドショー表示を画像表示装置１側で行うか、外部画像表示装置１００で行なうかはキー操作等で切り替えることができるものとする。また、画像表示装置１が画像表示部を有しない専用の画像表示制御装置の場合は、テレビ受信装置等の外部画像表示装置１００の接続は必須となる。
【００２３】
図３は本発明に係る画像表示装置の一例としてのデジタルカメラ（以下、デジタルカメラ１）の一実施例の外観図である。図３で、デジタルカメラ１は図３（ａ）に示すように正面側に撮像レンズ２を有している。また、デジタルカメラ１の背面には図３（ｂ）に示すように、モードダイヤル３、液晶モニタ画面４、カーソルキー５、ＳＥＴキー６等が設けられている。また、上面には図３（ｃ）に示すようにズームレバー７、シャッターキー８及び電源ボタン９が設けられ、図示されていないが側部にはテレビ受信装置やパーソナルコンピュータ（以下、パソコン）やモデム等の外部装置とケーブル接続する場合に用いるケーブル端子接続部が設けられている。
【００２４】
図４は、図３に示したデジタルカメラ１の電子回路構成の一実施例を示す図である。図４で、デジタルカメラ１は、基本モードである撮影モードにおいて、ズームレンズ１２−１を移動させて光学ズーム動作を行わせるズーム駆動部１１−１、フォーカスレンズ１２−２を移動させて合焦動作を行わせるＡＦ駆動部１１−２、ズームレンズ１２−１及びフォーカスレンズ１２−２を含む撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、縦横検出部２２、画像を外部画像表示装置１００に送信するための送信部２３、保存メモリ２４、制御部２５、ＪＰＥＧ回路２６、ＶＲＡＭ２７、ＶＲＡＭコントローラ２８、デジタルビデオエンコーダ２９、表示部３０、キー入力部３１等を備えている。また、警告や告知情報を出力する音声出力部（図示せず）を設けるようにしてもよい。
【００２５】
撮影モードでのモニタリング状態においては、ズーム駆動部１１−１は光学ズーム指示があると図示しないズームレンズ駆動モータを駆動してズームレンズ１２−１を移動させる。また、ＡＦ駆動部１１−２は図示しないフォーカスレンズ駆動モータを駆動してフォーカスレンズ１２−２を移動させる。上記撮像レンズ２を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００２６】
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２７】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。  
【００２８】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してワークメモリとして使用されるＤＲＡＭ２１にＤＭＡ転送する。
【００２９】
縦横検出部２２はカメラの傾き角度を検出する傾きセンサからなり、検出結果を制御部２５に送出する。また、送信部２３は生成した画像を外部画像表示装置１００に送信する。
【００３０】
制御部２５は、このデジタルカメラ１全体の制御動作を司るものであり、ＣＰＵ若しくはＭＰＵ（以下、ＣＰＵ）と、後述するように転送再生モード時の表示画像生成動作制御を含む該ＣＰＵで実行される動作プログラムを固定的に記憶したフラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２８を介してＶＲＡＭ２７に書込む。
【００３１】
制御部２５は、また、キー入力部３１からの状態信号に対応してフラッシュメモリ等のプログラム格納用メモリに格納されている各モードに対応の処理プログラムやメニューデータを取り出して、デジタルカメラ１の他の各機能の実行制御、例えば、本発明に基づいて画像と画面の表示用画像領域の横縦比が異なる場合に実行する、撮影画像の合焦位置を基準とした画像の切出し、拡大、および表示等に係わる制御の他、スルー表示、自動合焦、撮影、記録等の実行制御等や、機能選択時の機能選択メニューの表示制御や設定画面の表示制御等を行う。  
【００３２】
デジタルビデオエンコーダ２９は、上記輝度及び色差信号をＶＲＡＭコントローラ２８を介してＶＲＡＭ２７から定期的に読み出し、これらのデータを基にビデオ信号を生成して表示部３０に出力する。
【００３３】
表示部３０は、上述したように撮影モード時にはモニタ表示部（電子ファインダ）として機能するもので、デジタルビデオエンコーダ２９からのビデオ信号に基づいた表示を行うことで、その時点でＶＲＡＭコントローラ２８から取込んでいる画像情報に基づく画像をリアルタイムに液晶モニタ画面４に表示することになる。
【００３４】
制御部２５は合焦指示（本実施形態ではシャッターキー８の半押し）があるとＡＦ駆動部１１−２に駆動制御信号を送ってレンズ光学系１２のフォーカスレンズ１２−２を移動させて複数の合焦位置（本実施例ではＡＦ１〜ＡＦ５）のうちユーザによって指定された合焦位置に合焦するように合焦（ＡＦ）動作を行わせ、撮像指示（本実施形態ではシャッターキー８の全押し）があると撮影を行い（つまり、その時点で直ちにＣＣＤ１３からのＤＲＡＭ２１への経路を停止してスルー画像取得時とは異なる本撮影時のＣＣＤ駆動方式への切り替えを実行し）、記録保存の状態に遷移する。
【００３５】
この保存記録の状態では、制御部２５がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２６でＡＤＣＴ（Adaptive Discrete Cosine Transform：適応離散コサイン変換）、エントロピ符号化方式であるハフマン符号化等の処理によりデータ圧縮する。
【００３６】
そして得た符号データをＪＰＥＧ回路２６から読出し、１画像のデータファイルとしてデジタルカメラ１の記録媒体である保存メモリ２４に記録し、１フレーム分の輝度及び色差信号の圧縮処理及び保存メモリ２４への圧縮データの書込み終了に伴って、制御部２５はＣＣＤ１３からＤＲＡＭ２１への経路を再び起動する。
【００３７】
上記ＪＰＥＧ回路２６は複数の圧縮率に対応しており、圧縮率に対応させて記憶するモードは圧縮率の低い高解像度（一般に、高精密、ファイン、ノーマルなどと呼ばれる）に対応するモードと圧縮率の高い低解像度（一般にエコノミーなどと呼ばれる）モードがある。  
また、高画素数から低画素数にも対応している。例えば、例えば、ＱＸＧＡ（Quad eXtended Graphics Array（２０４８×１５３６））、ＵＸＧＡ（Ultra eXtended Graphics Array（１６００×１２００））、ＳＸＧＡ+（SXGA Plus（１４００×１０５０））、ＳＸＧＡ（Super eXtended Graphics Array（１２８０×１０２４））、ＸＧＡ（eXtended Graphics Array（１０２４×７８６））、ＳＶＧＡ（Super Video Graphics Array（８００×６００））、ＶＧＡ（Video Graphics Array（６４０×４８０））、ＱＶＧＡ（Quarter VGA（３２０×２４０））、等と呼ばれる画素サイズがある。
【００３８】
また、基本モードである再生表示モード時には、制御部２５が保存メモリ２４に記録されている画像データを選択的に読出し、ＪＰＥＧ回路２６で撮影時にデータ圧縮した手順とまったく逆の手順で圧縮されている画像データを伸張し、伸張した画像データをＶＲＡＭコントローラ２８を介してＶＲＡＭ２７に展開して記憶させた上で、このＶＲＡＭ２７から定期的に読出し、これらの画像データを元にビデオ信号を生成して表示部３０の液晶モニタ画面４に再生画像を出力（＝表示）させる。
【００３９】
また、本発明に基づく再生転送モード時には図９および図１０のフローチャートに示すように、再生する画像の横縦比が接続されている外部画像表示装置の画面の表示用画像領域の横縦比と異なる場合は、保存メモリ２４に記録されている画像を上述した再生表示モードと同様の再生手順で再生し、再生された画像をその画像の合焦位置に基づいてその外部画像表示装置の画面の表示用画像領域の横縦比で切出し、更に、この切取った部分画像を外部画像表示装置の画面の表示用画像領域のサイズに調整して表示画像を生成し、その外部画像表示装置に送信して表示させる。
【００４０】
キー入力部３１は、上述したモードダイヤル３、カーソルキー５、ＳＥＴキー６、ズームレバー７、シャッターキー８、電源ボタン９等から構成され、それらのキー操作に伴う信号は直接制御部２５に送出される。
【００４１】
モードダイヤル３は処理モードを切り替えるものであり、例えば、撮影および撮影画像の記録を行う記録モード、記録した撮影画像の再生を行ない表示部２６の液晶モニタ画面４に表示する再生表示モード、撮影画像を再生し、再生した画像を接続する外部画像装置の表示用画像領域の横縦比に合わせて切出し、切出した部分画像をその外部画像再生装置の画面の表示用画像領域のサイズに調整した表示画像を生成し、生成した表示画像をその外部画像再生装置に送信する再生転送モード等に切り替えることができる。
【００４２】
カーソルキー５はモード設定やメニュー選択等に際して液晶モニタ画面４に表示されるメニューやアイコン等をカーソルでポイント（指定）する際や、マルチフォーカスの場合に表示される複数の合焦位置のうちの一つを指定（選択）する際に操作するキーであり、カーソルキー５の操作によりカーソルを上下又は左右に移動させることができる。また、ＳＥＴキー６はカーソルキー５によってカーソル表示されている項目や位置を選択、設定若しくは確認する際に押すキーである。
【００４３】
ズームレバー７は、ズーム操作に用いられ、光学ズームの場合はズームレバー７の操作に対応してズームレンズ（可変焦点距離レンズ）１２−１がワイド側又はテレ側に移動され、ズームレバー７の操作に対応してズーム値が決定され、ズーム値の変化に追従して画角が実際に変化し、液晶モニタ画面４には広角画像又はテレ画像が表示される。また、デジタルズームの場合はズームレバー７の操作に対応してズーム値が決定されるが、実際の画角は変化せず、液晶モニタ画面４にはズーム値に応じたサイズの画像がトリミングされて表示される。
【００４４】
シャッターキー８は、撮影時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。
【００４５】
図５はマルチフォーカスエリアの説明図であり、図５（ａ）は横長画像撮影時に液晶モニタ画面４に表示される合焦位置（フォーカスエリア）の例であり、５つの合焦位置ＡＦ１（左）、ＡＦ２（中央）、ＡＦ３（右）、ＡＦ４（上）、ＡＦ５（下）が半透過表示される。また、図５（ｂ）は横長画像撮影時に液晶モニタ画面４に表示される合焦位置の例であり、５つの合焦位置ＡＦ１（左）、ＡＦ２（中央）、ＡＦ３（右）、ＡＦ４（上）、ＡＦ５（下）が半透過表示される。なお、この例では５つの合焦位置を十字状に配置したが合焦位置の数及び配置はこの例に限定されない。
【００４６】
撮影時にシャッターキー８が半押し操作されると合焦動作が開始されるが、ＡＦ１〜ＡＦ５の合焦位置のうちユーザによって選択された合焦位置で合焦するとシャッターキー８の全押し操作が可能となり、シャッターキー８の全押操作が行なわれると撮影処理が行われる。また、この際、カメラの縦横を判別する縦横フラグ及び合焦位置等が画像ファイルと関連付けて記憶される。
【００４７】
図６は画像ファイルに関連付けられて保存メモリ２４に記録される画像表示用情報の一実施例を示す図である。画像表示用情報５０は本実施例では保存メモリ２４に記憶するようにしたが、ＥＸＩＦ（Exchangeable Image File Format）データとして各画像ファイルに埋め込むようにしてもよい。なお、画像と撮影情報の関連付け方法はこれらに限定されない。  
画像表示用情報５０には、図６に示すように、ファイル番号５１、日時５２、縦横フラグ５３、合焦位置５４、画像表示装置の種類５５、画像表示装置の画面の表示用画像領域の横縦比５６、画像表示装置の画面の表示用画像領域のサイズ５７等が含まれている。ここで、縦横フラグ５３のデフォルト値は「０」で「横」を意味し、「１」は縦を意味するものとする。また、合焦位置５４のデフォルト位置は中央（「ＡＦ２」）とする。更に、画像表示装置の種類、横縦比、画面の表示用画像領域のサイズのデフォルト値は画像表示装置がデジタルカメラの場合、つまり、種類＝デジタルカメラ、横縦比＝４：３、画面の表示用画像領域のサイズはそのデジタルカメラの機種によって規定されたサイズとする。
【００４８】
図７は横長画像からの画像の切出しおよび表示例の説明図であり、図７（ａ）は撮影画像、図７（ｂ）は従来の方法による表示例、図７（ｃ）〜図７（ｆ）が本発明の表示方法を適用した例である。  
図７（ａ）は横方向の長さがＬ、縦方向の長さがＨで、横縦比が４：３の横長の撮影画像６０を示す。また、図７（ｂ）は従来のように撮影画像６０を縦長（図示の例では横方向の長さがｌ、縦方向の長さがｈ）で横縦比が３：４の画面７１を備えた画像表示装置に表示した例であり、撮影画像６０を横縦比が３：４の縦長画像６２に縮小して画面７１に表示するので、上下に無駄なスペースが生じている。
【００４９】
図７（ｃ−１）は合焦位置をＡＦ２（中央：図５（ａ）参照）とした場合、撮影画像６０を縦長の画面７１の表示用画像領域の横縦比（３：４）で切出した画像６２を示し、図７（ｃ−２）は切出した画像６２を画面７１の表示用画像領域のサイズ（横方向の長さがｌ、縦方向の長さがｈ）に合わせて拡大し、表示した画像６３を示す。なお、画像６２は画像再生時にＤＲＡＭ２１に確保される再生画像一時記憶領域にビットマップ展開される再生画像の配置を視覚的に示したものである。この例では、撮影画像を縦長画面７１の表示用画像領域の横縦比に合わせて切出し、切出した画像をさらに縦長画面７１の表示用画像領域のサイズに合わせて拡大して表示しているので、画面７１に無駄なスペースが生じない。
【００５０】
図７（ｄ−１）は合焦位置をＡＦ２とした場合、撮影画像６０を横長の画面７２の表示用画像領域の横縦比（１６：９）で切出した画像６４を示し、図７（ｄ−２）は切出した画像６４を画面７２の表示用画像領域のサイズ（図示の例では横方向の長さがｌ‘、縦方向の長さがｈ’）に合わせて拡大し、表示した画像６５を示す。なお、画像６４は画像再生時にＤＲＡＭ２１に確保される再生画像一時記憶領域にビットマップ展開される再生画像の配置を視覚的に示したものである。この例でも同様に、撮影画像を横長画面７２の表示用画像領域の横縦比に合わせて切出し、切出した画像をさらに横長画面７２の表示用画像領域のサイズに合わせて拡大して表示しているので、画面７２に無駄なスペースが生じない。
【００５１】
図７（ｅ−１）は合焦位置をＡＦ２とした場合、撮影画像６０を縦長にした画面７２の表示用画像領域の横縦比（９：１６）で切出した画像６６を示し、図７（ｅ−２）は切出した画像６６を画面７２の表示用画像領域のサイズ（横方向の長さがｈ‘、縦方向の長さがｌ’）に合わせて拡大し、表示した画像６７を示す。なお、画像６６は画像再生時にＤＲＡＭ２１に確保される再生画像一時記憶領域にビットマップ展開される再生画像の配置を視覚的に示したものである。この例でも、撮影画像を縦長画面７２の表示用画像領域の横縦比に合わせて切出し、切出した画像をさらに縦長画面７２の表示用画像領域のサイズに合わせて拡大して表示しているので、画面に無駄なスペースが生じない。
【００５２】
図７（ｆ−１）は合焦位置をＡＦ２とした場合、撮影画像６０を正方形の画面７３の表示用画像領域の横縦比（１：１）で切出した画像６８を示し、図７（ｆ−２）は切出した画像６８を画面７３の表示用画像領域のサイズ（横方向の長さがｌ“、縦方向の長さがｈ”＝ｌ“）に合わせて拡大し、表示した画像６９を示す。なお、画像６８は画像再生時にＤＲＡＭ２１に確保される再生画像一時記憶領域にビットマップ展開される再生画像の配置を視覚的に示したものである。この例でも、撮影画像を正方形の画面７３の表示用画像領域の横縦比に合わせて切出し、切出した画像をさらに正方形の画面７３の表示用画像領域のサイズに合わせて拡大して表示しているので、画面に無駄なスペースが生じない。
【００５３】
図８は縦長画像からの画像の切出しおよび表示例の説明図であり、図８（ａ）は撮影画像、図８（ｂ）は従来の方法による表示例、図８（ｃ）〜図８（ｆ）が本発明の表示方法を適用した例である。  
図８（ａ）は縦方向の長さがＨ、縦方向の長さがＬで、横縦比が３：４の横長の撮影画像８０を示す。また、図８（ｂ）は従来のように撮影画像８０を横長（横方向の長さがｈ、縦方向の長さがｌ）で横縦比４：３の画面９１を備えた画像表示装置に表示した例であり、撮影画像８０を横縦比が４：３の縦長画像８２に縮小して画面９１に表示するので、左右に無駄なスペースが生じている。
【００５４】
図８（ｃ−１）は合焦位置をＡＦ２（中央：図５（ａ）参照）とした場合、撮影画像８０を横長の画面８１の表示用画像領域の横縦比（４：３）で切出した画像８２を示し、図８（ｃ−２）は切出した画像８２を画面９１の表示用画像領域のサイズ（横方向の長さがｌ、縦方向の長さがｈ）に合わせて拡大し、表示した画像８３を示す。なお、画像８２は画像再生時にＤＲＡＭ２１に確保される再生画像一時記憶領域にビットマップ展開される再生画像の配置を視覚的に示したものである。この例では、撮影画像を横長画面９１の表示用画像領域の横縦比に合わせて切出し、切出した画像をさらに横長画面９１の表示用画像領域のサイズに合わせて拡大して表示しているので、画面９１に無駄なスペースが生じない。
【００５５】
図８（ｄ−１）は合焦位置をＡＦ２とした場合、撮影画像８０を横長の画面９２の表示用画像領域の横縦比（１６：９）で切出した画像８４を示し、図７（ｄ−２）は切出した画像８４を画面９２の表示用画像領域のサイズ（横方向の長さがｌ‘、縦方向の長さがｈ’）に合わせて拡大し、表示した画像８５を示す。なお、画像８４は画像再生時にＤＲＡＭ２１に確保される再生画像一時記憶領域にビットマップ展開される再生画像の配置を視覚的に示したものである。この例でも同様に、撮影画像を横長画面９２の表示用画像領域の横縦比に合わせて切出し、切出した画像をさらに横長画面９２の表示用画像領域のサイズに合わせて拡大して表示しているので、画面に無駄なスペースが生じない。
【００５６】
図８（ｅ−１）は合焦位置をＡＦ２とした場合、撮影画像８０を縦長にした画面９２の表示用画像領域の横縦比（９：１６）で切出した画像８６を示し、図８（ｅ−２）は切出した画像８６を画面９２の表示用画像領域のサイズ（横方向の長さがｈ‘、縦方向の長さがｌ’）に合わせて拡大し、表示した画像８７を示す。なお、画像８６は画像再生時にＤＲＡＭ２１に確保される再生画像一時記憶領域にビットマップ展開される再生画像の配置を視覚的に示したものである。この例でも、撮影画像を縦長画面９２の表示用画像領域の横縦比に合わせて切出し、切出した画像をさらに縦長画面９２の表示用画像領域のサイズに合わせて拡大して表示しているので、画面９２に無駄なスペースが生じない。
【００５７】
図８（ｆ−１）は合焦位置をＡＦ２とした場合、撮影画像８０を正方形の画面９３の表示用画像領域の横縦比（１：１）で切出した画像８８を示し、図７（ｆ−２）は切出した画像８８を画面９３の表示用画像領域のサイズ（横方向の長さがｌ“、縦方向の長さがｈ”＝ｌ“）に合わせて拡大し、表示した画像６９を示す。なお、画像８８は画像再生時にＤＲＡＭ２１に確保される再生画像一時記憶領域にビットマップ展開される再生画像の配置を視覚的に示したものである。この例でも、撮影画像を正方形の画面９３の表示用画像領域の横縦比に合わせて切出し、切出した画像をさらに正方形の画面９３の表示用画像領域のサイズに合わせて拡大して表示しているので、画面に無駄なスペースが生じない。
【００５８】
図９は、デジタルカメラ１の撮影制御動作及び記録画像の表示制御動作例を示すフローチャートであり、このフローチャートはデジタルカメラ１に本願発明の表示画像生成機能を実現させるためのプログラムを説明するためのものである。以下に示す処理は基本的に制御部２５が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図９に基いて説明する。
【００５９】
デジタルカメラ１が起動されると、ユーザはモードダイヤル３を操作して処理モードの選択を行うので、制御部２５はキー入力部３１からの信号を調べ、記録モードが選択された場合はステップＳ２に進み、再生表示モードが選択された場合にはステップＳ１５に進み、外部画像表示装置１００への再生転送モードが選択された場合にはステップＳ１７に進み、その他のモードが選択されたその他の処理モードの実行を制御し、終了操作がなされた場合には記録モードを終了する（ステップＳ１）。
【００６０】
記録モードが選択されると、制御部２５は表示部２６に接続可能な外部画像表示装置１００の画面の表示用画像領域の横縦比および縦横のサイズまたは外部画像表示装置の種類を示すデータと画面の表示用画像領域の横縦比および縦横のサイズまたは外部画像表示装置１００の種類の選択をユーザに促すメッセージデータを送って液晶モニタ画面４に表示させてユーザによる選択を促し、ユーザがカーソルキー５を操作して接続されている画像表示装置の選択を行うと選択された画像表示装置の種類とその表示用画像領域の横縦比およびサイズ値を自動設定（ＲＡＭに保持）し、ステップＳ３に進む。なお、単にＳＥＴキー６を押すとデジタルカメラ１の表示部２６の液晶モニタ画面４の表示用画像領域の横縦比およびサイズ値が設定される（ステップＳ２）。
【００６１】
次に、制御部２５はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上で座標変換部１８、ＤＭＡコントローラ１９及びＤＲＡＭインターフェイス（Ｉ／Ｆ）２０を介してＤＲＡＭ２１にＤＭＡ転送すると共に、ＶＲＡＭ２７をＣＣＤ１３からの画像データを間引いたビデオスルー画像データで書き換えて表示部２６の液晶モニタ画面４にスルー画像を表示する。なお、この際、液晶モニタ画面４にカメラの向きにあわせて合焦位置ＡＦ１〜ＡＦ５を半透過表示する（図５参照）（ステップＳ３）。
【００６２】
制御部２５はキー入力部３１からの信号を調べ、シャッターキー８が半押しされた場合はステップＳ５に進み、押されていない場合はステップＳ３に戻る（ステップＳ４）。
【００６３】
ユーザはカーソルキー５を操作して合焦位置を指定できるので、制御部２５はキー入力部３１からの信号を調べ、どの合焦位置が指定されたかを判定し（ステップＳ５）、指定された合焦位置にピントが合うようにＡＦ駆動部１１−２を制御して自動合焦処理が終わると（つまり、フォーカスレンズを指定された合焦位置に移動させて合焦動作を行わせると共に絞り制御を行い合焦処理が終わると）合焦位置をロックしてステップＳ７に進む。なお、合焦位置のデフォルト値をＡＦ２（中央）とし、上記ステップＳ５で合焦位置の指定がない場合にはＡＦ２（中央）を合焦位置として自動合焦処理を行うものとする。また、図示していないが合焦動作中もスルー画像は表示される（ステップＳ６）。
【００６４】
制御部２５はキー入力部３１からの信号を調べてシャッターキー８が全押し操作されたか否かを判定し、シャッターキー８が全押しされた場合はステップＳ８に進む（ステップＳ７）。
【００６５】
シャッターキー８が全押しされた場合は、その時点で直ちにＣＣＤ１３からのＤＲＡＭ２１への経路を停止してスルー画像取得時とは異なる本撮影時のＣＣＤ駆動方式への切替を実行して画像データを取り込む（ステップＳ８）。
【００６６】
制御部２５は、また縦横検出部２２からの信号を調べ、傾き角度を基にカメラが横位置（カメラを横に構えた状態）である場合には撮影画像は横長画像と判定してステップＳ１０に進み、縦位置（カメラを縦に構えた状態）である場合には撮影画像は縦長画像と判定してステップＳ１１に進み（ステップＳ９）、カメラが横位置の場合は上記Ｓ１で設定した画像表示用情報５０の縦横フラグ５３の値を「０」にしてステップＳ１２に進む（ステップＳ１０）。また、カメラが縦位置の場合は上記Ｓ１で設定した画像表示用情報５０の縦横フラグ５３の値を「１」にしてステップＳ１３に進む（ステップＳ１１）。
【００６７】
制御部２５は上記ステップＳ８で取り込んだ画像データを対応付けてからＪＰＥＧ回路２６で画像圧縮処理を施し（ステップＳ１２）、この圧縮データからなる画像ファイルを保存メモリ２４に記録し、更に上記Ｓ１で設定した画像表示用情報５０をこの画像ファイルに対応付けて記録し、ステップＳ１に戻る（ステップＳ１３）。
【００６８】
再生表示モードが選択されると、制御部２５はユーザに再生する画像の選択等を促し、保存メモリ２４から選択された画像の画像データを取り出して再生処理（圧縮データの伸張処理等）を施し（ステップＳ１４）、再生画像を表示部２６に表示させ、ステップＳ１に戻る（ステップＳ１５）。
【００６９】
再生転送モードが選択されると、制御部２５は図１０または図１１のフローチャートに示すように再生画像から合焦位置を含む部分画像を切出し、切出した画像のサイズを調整して外部画像表示装置１００の横縦比および画面の表示用画像領域のサイズに合ったサイズの画像を生成し（ステップＳ１６）、送信部２３を介して外部画像表示装置１００に生成した画像を送信してステップＳ１に戻る（ステップＳ１７）。
【００７０】
なお、上記図９に示したフローチャートでは、ステップＳ１で記録モードが選択されたときにステップＳ２で画像表示装置の画面の表示用画像領域の横縦比やサイズ等を設定するようにしたが、ステップＳ１で再生転送モードが選択されたときに画像表示装置の画面の表示用画像領域のサイズ等を設定するように構成してもよい。つまり、ステップＳ１で再生転送モードが選択されたときにステップＳ１６の前に設けた画像表示装置の画面の表示用画像領域の横縦比やサイズ等を設定するステップに進むようにしてもよい。
【００７１】
上記図１０のフローチャートに示した動作により、デジタルカメラ１は再生転送モードで接続している外部画像表示装置１００の表示用画像領域の横縦比およびサイズに合ったサイズの画像であって合焦位置を含む画像を生成してその外部画像表示装置１００に送信できる。また、外部画像表示装置１００の画面の表示用画像領域の横縦比やサイズが撮影画像と異なっていても画面一杯に少なくとも画像の主要部分を表示できるので、画面上に無駄なスペースが生じず、表示領域を有効に活用できる。
【００７２】
また、上記図９のフローチャートで合焦位置のデフォルト値をＡＦ２（中央）とし、ステップＳ５で合焦位置の指定がない場合にはＡＦ２（中央）を合焦位置としたことにより、複数の合焦可能位置を備えていない撮像装置で撮影された画像や、画像データに合焦位置データが対応付けられていない画像についても合焦位置に基づいて切出した画像を外部画像表示装置１００（画面の表示用画像領域の横縦比やサイズが撮影画像と異なる外部画像表示装置１００を含む）に送信し、画面上に無駄なスペースが生じさせることなく画像を表示させることができる。
【００７３】
図１０は上記図９に示したフローチャートのステップＳ１６の画像の切出しおよび画像生成処理動作の詳細なフローチャートである。 
図１０（ａ）で、図９のフローフローチャートのステップＳ１で再生転送モードが選択されると、制御部２５は保存メモリ２４に記録されている圧縮画像ファイルを読み出してＪＰＥＧ回路２６に圧縮データの伸張処理を行わせて１枚分の画像データを再生し、ＤＲＡＭ２１のワークエリアに確保された再生画像一時記憶領域（図示せず）にビットマップ展開する（ステップＳ１６−１）。
【００７４】
制御部２５は画像表示用情報５０に含まれている画像表示装置の種類５５を調べ、画像表示装置の種類がデフォルト（＝デジタルカメラ１の表示部を意味する）の場合は図９のステップＳ１５（通常の画像再生処理）に進み、外部画像表示装置の場合はステップＳ１６−３に進む（ステップＳ１６−２）。
【００７５】
画像表示装置が外部画像表示装置の場合は、制御部２５は縦横フラグ５３の値を調べ、縦横フラグ値＝「０」なら横長画像（つまり、カメラを横に構えて撮影した画像）と判定してステップＳ１６−６に進み、縦横フラグ＝「１」なら縦長画像（つまり、カメラを縦に構えて撮影した画像）と判定してステップＳ１６−４に進む（ステップＳ１６−３）。
【００７６】
縦長画像の場合は、制御部２５はＤＲＡＭ２１の再生画像一時記憶領域にビットマップ展開した縦長画像に対して座標変換を行って９０°右回転させて正立させ（ステップＳ１６−４）、更に、画像表示用情報５０に含まれている合焦位置５４の座標（合焦点）を９０度座標変換させ、ＲＡＭに保持（一時記憶）する（ステップＳ１６−５）。
【００７７】
制御部２５は合焦位置５４の座標（合焦点）および外部画像表示装置の画面の表示用画像領域の横縦比５６で合焦点を略中心として最大サイズになるようにＤＲＡＭ２１の再生画像一時記憶領域にビットマップ展開した画像を切出して（図７（ｃ）〜図７（f）、図８（ｃ）〜図８（f）参照）、ステップＳ１６−７に進む（Ｓ１６−６）。
【００７８】
次に、制御部２５は切出した画像のサイズが画像表示用情報５０に含まれている外部画像表示装置の画面の表示用画像領域のサイズと略等しくなるように拡大若しくは縮小した画像データを生成してＤＲＡＭ２１に記憶し、図９のステップＳ１７に進む（ステップＳ１６−７）。
【００７９】
上記図１０のフローチャートに示した動作により、画像の回転情報（縦横フラグ）を基に画像を正立させてから合焦情報および外部画像表示装置の画面の表示用画像領域の横縦比を基に、合焦点を略中心として外部画像表示装置の画面の表示用画像領域の横縦比で最大サイズの画像を切出し、更に外部画像表示装置の画面の表示用画像領域のサイズに略等しくなるように切出した画像を拡大若しくは縮小させた画像を生成するので、撮影画像の横縦比やサイズが画像表示装置の画面の表示用画像領域の横縦比やサイズと異なっていても画面一杯に表示できることから、無駄なスペースが生じない。また、合焦点を略中心として画像を切出すので、画像の注目部分等、重要な部分が表示されないといったようなことが生じない。
【００８０】
上記図１０のフローチャートのステップＳ１６−５では、ワークメモリに記憶されている画像を合焦位置５４の座標（合焦点）および外部画像表示装置の画面の表示用画像領域の横縦比５６で合焦点を略中心として最大サイズになるよう切出すようにしたが、画像の切出し動作は図１０のフローチャートの例に限定されず、例えば、図１１に示すような動作でもよい。
【００８１】
図１１は上記図９に示したフローチャートのステップＳ１６の画像の切出しおよび画像生成処理動作の詳細なフローチャートであり、ステップＳ１６−１からステップＳ１６−５までの動作は図１０のフローチャートと同様である。
【００８２】
図１０のステップＳ１６−５の合焦位置の座標変換が終わるか、ステップＳ１６−３でワークメモリに記憶されている画像が横長画像の場合に、制御部２５はＤＲＡＭ２１の再生画像一時記憶領域にビットマップ展開した画像の横方向の辺または縦方向の辺のいずれか一辺を接続されている外部画像表示装置の画面の表示用画像領域の一辺全体に対応付け（ステップＳ１６−６）、更に、画像表示用情報５０含まれている合焦位置５４の座標（合焦点）に基づいて切出し範囲を決定し（ステップＳ１６−７）、ビットマップ展開した画像の他方の一辺からその外部画像表示装置の画面の表示用画像領域の横縦比に従って切出しを行う（ステップＳ１６−８）。
【００８３】
次に、制御部２５は切出した画像のサイズが外部画像表示装置の画面の表示用画像領域のサイズと略等しくなるように切出した画像を拡大若しくは縮小した画像データを生成してＤＲＡＭ２１に記憶し、図９のステップＳ１７に進む（Ｓ１６−９）。
【００８４】
例えば、図１１のフローチャート（ステップＳ１６−６〜ステップＳ１６−９）に示す動作により横長画像を縦長画面に表示する場合は、図７（ｃ−１）に示すように、画像６０の横方向の辺を表示用画像領域の一辺全体に対応付け、更に、画像６０の合焦位置に基づいて示すように切出し範囲を決定し、画像６０の縦方向の辺から表示用画像領域の横縦比（３：４）に従って切出しを行い、次に、図７（ｃ−２）に示すように、切出した部分画像６２のサイズが表示用画像領域のサイズと略等しくなるように拡大若しくは縮小した画像６３を生成してその画像データをＤＲＡＭ２１に記憶するようにする。図７（ｅ−１）の場合も同様にして部分画像６６を切出し、図７（ｅ−２）に示すように拡大若しくは縮小した画像６７を生成できる。
【００８５】
図１１のフローチャートに示す動作により横長画像を横長画面に表示する場合は、図７（ｄ−１）に示すように、画像６０の縦方向の辺を表示用画像領域の一辺全体に対応付け、更に、画像６０の合焦位置に基づいて切出し範囲を決定し、画像６０の縦方向の辺から表示用画像領域の横縦比（１６：９）に従って切出しを行い、次に、図７（ｄ−２）に示すように切出した部分画像６４のサイズが表示用画像領域のサイズと略等しくなるように拡大若しくは縮小した画像６５を生成してその画像データをＤＲＡＭ２１に記憶するようにする。
【００８６】
図１１のフローチャートに示す動作により横長画像を正方画面に表示する場合は、図７（ｆ−１）に示すように、画像６０の横方向の辺を表示用画像領域の一辺全体に対応付け、更に、画像６０の合焦位置に基づいて切出し範囲を決定し、画像６０の縦方向の辺から表示用画像領域の横縦比（１：１）に従って切出しを行い、次に、図７（ｆ−２）に示すように、切出した部分画像６８のサイズが表示用画像領域のサイズと略等しくなるように拡大若しくは縮小した画像６９を生成してその画像データをＤＲＡＭ２１に記憶するようにする。
【００８７】
また、図１１のフローチャートに示す動作により縦長画像を横長画面に表示する場合は、図８（ｃ−１）に示すように、画像８０の縦方向の辺を表示用画像領域の一辺全体に対応付け、更に、画像８０の合焦位置に基づいて示すように切出し範囲を決定し、画像８０の横方向の辺から表示用画像領域の横縦比（４：３）に従って切出しを行い、次に、切出した部分画像８２のサイズが表示用画像領域のサイズと略等しくなるように拡大若しくは縮小した画像８３を生成してその画像データをＤＲＡＭ２１に記憶するようにする。図８（ｄ−１）の場合も同様にして部分画像８６を切出し、図８（ｄ−２）に示すように拡大若しくは縮小した画像８７、８９を生成できる。
【００８８】
図１１のフローチャートに示す動作により縦長画像を横長画面に表示する場合は、図７（ｅ−１）に示すように、画像８０の横方向の辺を表示用画像領域の一辺全体に対応付け、更に、画像８０の合焦位置に基づいて切出し範囲を決定し、画像８０の縦方向の辺から表示用画像領域の横縦比（９：１６）に従って切出しを行い、次に、図７（ｅ−２）に示すように、切出した部分画像８４のサイズが表示用画像領域のサイズと略等しくなるように拡大若しくは縮小した画像８５を生成してその画像データをＤＲＡＭ２１に記憶するようにする。
【００８９】
図１１のフローチャートに示す動作により縦長画像を正方画面に表示する場合は、図８（ｆ−１）に示すように、画像８０の縦方向の辺を表示用画像領域の一辺全体に対応付け、更に、画像８０の合焦位置に基づいて切出し範囲を決定し、画像８０の横方向の辺から表示用画像領域の横縦比（１：１）に従って切出しを行い、次に、図８（ｆ−２）に示すように、切出した部分画像８８のサイズが表示用画像領域のサイズと略等しくなるように拡大若しくは縮小した画像８９を生成してその画像データをＤＲＡＭ２１に記憶するようにする。
【００９０】
上記図１１のフローチャートに示した動作により、画像の回転情報（縦横フラグ）を基に画像を正立させてから合焦情報および外部画像表示装置の画面の表示用画像領域の横縦比を基に、合焦点を基準として外部画像表示装置の画面の表示用画像領域の横縦比で最大サイズの画像を切出し、更に外部画像表示装置の画面の表示用画像領域のサイズに略等しくなるように切出した画像を拡大若しくは縮小させた画像を生成するので、撮影画像の横縦比やサイズが画像表示装置の横縦比やサイズと異なっていても画面一杯に表示できることから、無駄なスペースが生じない。
また、上記図１０のステップＳ１６−６では合焦位置を略中心として外部画像表示装置の画面の表示用画像領域の横縦比で画像を切出すので、合焦位置が切出し前の画像の中心から離れていると切出し範囲が小さくなることから表示画像を生成する際に拡大率が大きくなり、画像が粗くなる可能性があるが、上記図１１のステップＳ１６−６〜ステップＳ１６−８では合焦位置を略中心として外部画像表示装置の画面の表示用画像領域の横縦比で画像を切出すので合焦位置が切出し前の画像の中心から離れていても切出し範囲は変わらない。
【００９１】
なお、上記各実施例の説明では、静止画像の場合を例としたが、本発明の適用範囲は静止画に限定されない。動画に本発明を適用する場合には、デジタルカメラ１に、動画撮影開始／終了ボタンと動画記録モード、動画再生表示モード、および動画再生転送モードを付加し、図４の構成にＭＰＥＧ（Motion Picture Experts Group）圧縮／伸張処理を行うＭＰＥＧ回路および音声入出力部を備えるようにし、図９のフローチャートで「記録モード」、「再生表示モード」、「再生転送モード」を「動画記録モード」および「動画再生表示モード」、「動画再生転送モード」と読み替え、図９のフローチャートのステップＳ１３でＭＰＥＧ回路で動画を圧縮するようにし、ステップＳ１３で圧縮された動画ファイルを保存メモリ２４に記録するようにする。更に、図１０のステップＳ１６−１で動画ファイルをＭＰＥＧ回路で伸張するものとする。
【００９２】
以上、本発明の各実施例について説明したが、本発明は上記実施形態そのままに限定されるものではなく、実施段階ではその主旨を逸脱しない範囲で構成要素を変形して具体化できる。また、上記実施形態に開示されている複数の構成要素の適宜な組み合わせにより種々の発明を形成できる。例えば、実施形態に示されている全構成要素の中からいくつかの構成要素を削除してもよい。
【００９３】
また、上記実施形態において記載した手法は、コンピュータに実行させることのできるプログラムとして、例えば、フラッシュメモリやハードディスク、あるいは着脱可能なメモリカード等の記録媒体に書き込んで各種装置に適用したり、そのプログラム自体をネットワーク等の伝送媒体により伝送して各装置に適用することも可能である。各種装置のコンピュータは記録媒体に記録されたプログラムあるいは伝送媒体を介して提供されたプログラムを読み込み、このプログラムによって動作が制御されることにより、各処理を実行して本手法を実現する。
【図面の簡単な説明】
【００９４】
【図１】本発明に係わる画像の切出しおよび表示方法の概要説明図である。
【図２】本発明の画像切出し及び表示方法を適用可能な表示システムの一実施例を示す図である。
【図３】本発明に係る画像表示装置の一例としてのデジタルカメラの一実施例の外観を示す図である。
【図４】図３に示したデジタルカメラの電子回路構成の一実施例を示す図である。
【図５】マルチフォーカスエリアの説明図である。
【図６】画像ファイルに関連付けられて保存メモリに記憶される画像表示用情報の一実施例を示す図である。
【図７】横長画像からの画像の切出しおよび表示方法の説明図である。
【図８】縦長画像からの画像の切出および表示方法の説明図である。
【図９】デジタルカメラの撮影制御動作及び記録画像の表示制御動作例を示すフローチャートである。
【図１０】上記図９に示したフローチャートにおける画像の切出しおよび画像生成処理動作の詳細を示すフローチャートである。
【図１１】上記図９に示したフローチャートにおける画像の切出しおよび画像生成処理動作の詳細を示すフローチャートである。
【図１２】従来技術による撮影画像のワイド画面への表示例を示す図である。
【図１３】従来の部分表示方法による撮影画像のワイド画面への表示例を示す図である。
【符号の説明】
【００９５】
１  デジタルカメラ（画像表示装置）  
２３  送信部  
２４  保存メモリ(画像表示用情報記憶手段)  
２５  制御部（画像再生手段、画像切出し手段画像生成手段）
２６  表示部    
３１  キー入力部  
５０  画像表示用情報
５３  縦横フラグ  
５４  合焦位置  
５５  画像サイズ  
１００  外部画像表示装置  
ＡＦ１、ＡＦ２、ＡＦ３、ＡＦ４、ＡＦ５、ＡＦ６  マルチフォーカスエリア
【図１】
0004735166.tif 000002
【図２】
0004735166.tif 000003
【図３】
0004735166.tif 000004
【図４】
0004735166.tif 000005
【図５】
0004735166.tif 000006
【図６】
0004735166.tif 000007
【図７】
0004735166.tif 000008
【図８】
0004735166.tif 000009
【図９】
0004735166.tif 000010
【図１０】
0004735166.tif 000011
【図１１】
0004735166.tif 000012
【図１２】
0004735166.tif 000013
【図１３】
0004735166.tif 000014